(57)【要約】【課題】ノンデッド機構を省スペース化して、リール本体の小型化が図れる魚釣用スピニングリールを提供する。【解決手段】本発明の魚釣用スピニングリールは、釣糸が巻回されるスプール３と、ハンドル５の巻取り操作で回転する駆動歯車７と噛合するピニオンギヤ９を介して回転可能であり、釣糸案内部を介してスプール３に釣糸を巻回案内するロータ２と、スプール３の回転を規制する規制状態とスプールフリーにするフリー状態とに切換え操作可能な操作部材３１を備えた切換機構３０と、スプールフリー状態にある切換機構３０を、ハンドル５の巻取り操作によって規制状態に復帰させる復帰機構６０とを有する。復帰機構６０は、ハンドル５の回転操作に連動して回転するハンドル軸４の中心を回転中心として所定角度回転可能に支持され、回転方向にバネ付勢されたキック部材６１を有する。【選択図】図１
2008199978.tif 000002
【特許請求の範囲】
【請求項１】
リール本体の前部に設けられ、釣糸が巻回されるスプールと、
前記リール本体に回転自在に支持されたハンドルの巻取り操作で回転する駆動歯車と噛合するピニオンギヤを介して回転可能であり、釣糸案内部を介して前記スプールに釣糸を巻回案内するロータと、
前記スプールの回転を規制する規制状態とスプールフリーにするフリー状態とに切換え操作可能な操作部材を備えた切換機構と、
スプールフリー状態にある前記切換機構を、前記ハンドルの巻取り操作によって規制状態に復帰させる復帰機構と、
を有する魚釣用スピニングリールにおいて、
前記復帰機構は、前記ハンドルの回転操作に連動して回転する回転部材の中心を回転中心として所定角度回転可能に支持され、回転方向にバネ付勢されたキック部材を有することを特徴とする魚釣用スピニングリール。
【請求項２】
前記回転部材は、前記駆動歯車を駆動する駆動軸に対し、オフセットされた位置に設置されていることを特徴とする請求項１に記載の魚釣用スピニングリール。
【発明の詳細な説明】
【技術分野】
【０００１】
本発明は、スプールに回転抵抗を与えるドラグ機構を、作動状態と非作動状態とに切換える切換え機構を備えた魚釣用スピニングリールに関する。
【背景技術】
【０００２】
魚釣用スピニングリールの中には、リール本体内に、スプールに回転抵抗を与えるドラグ機構を、作動状態（スプールに対してドラグ力が作用する状態）と、非作動状態（スプールが完全にフリーになる状態とサブドラグ機構によってドラグ力が作用する状態を含む）とに切換える切換機構を備えたものが知られている。例えば、特許文献１には、リール本体の上部の前後方向に向けて回動可能に支持した切換えレバーを操作することで、ドラグ機構を作動状態／非作動状態に切換操作できる魚釣用スピニングリールが開示されている。そして、このような切換機構には、ハンドルを巻取り操作した際、非作動状態から作動状態に自動的に復帰できる復帰機構が係合している。
【０００３】
上記した特許文献１に開示されている復帰機構は、ハンドル軸に装着される駆動歯車（フェースギヤ）の反歯面側と、リール本体を構成する蓋板側のスペースに設置されているため、リール本体が大型化してしまうという問題があった。
【０００４】
そこで、このような問題を解決するために、特許文献２には、ハンドル軸の端部（フェースギヤの歯面側）にカムホイールを固定し、復帰機構をフェースギヤから離れた位置（フェースギヤ歯面側のハンドル軸端部の比較的空いたスペース）に設置してリール本体の小型化が図れる魚釣用スピニングリールが開示されている。
【０００５】
ところで、上記した復帰機構は、ハンドルの巻取り操作によって、自動的に切換えレバーを初期位置（ドラグ機構の作動状態位置）に復帰させる機構であり、ハンドルの巻取り操作によってその巻取り操作と共に回転する部材（キック部材）を係合部材に当て付けて（キックする）、切換えレバーを初期位置に戻す構成となっている。このため、ハンドルの位置によっては、デッドポイントによって、切換えレバーを上記した作動状態（初期位置）から非作動状態に切換え操作できなくなる可能性が生じる、という不都合があるが、上記した特許文献２に開示されているようなノンデッド機構を設置することで、切換えレバーが作動できなくなる状態を回避している。
【０００６】
前記特許文献２に開示されているノンデッド機構は、ハンドル軸の端部に固定されるカムホイール（キック部材）４２に対して、バネ（第２トグルばね）６０によって付勢された揺動可能なカムフォロワ（係合部材）５８を係合させるようにしている。すなわち、バネ６０によって揺動可能なカムフォロワ５８を設置し、これをハンドル軸１２に固定されたカムホイール４２の回転軌跡内に向けて付勢支持することで、カムホイール４２に対してデットポイントを生じさせることなく、上記した復帰機構を構成している。
【特許文献１】特公平６−９７９３３号
【特許文献２】特許第３５４２２８４号
【発明の開示】
【発明が解決しようとする課題】
【０００７】
しかし、上記した特許文献２に開示されているノンデッド機構は、ハンドル軸の端部にカムホイール（キック部材）４２を固定しているため、切換えレバー４５を操作する際にデッドポイントを無くすためには、リール本体の間で装着されるバネ６０によって揺動付勢されるカムフォロワ（係合部材）５８等の部材を設置する必要性があり、これらを構成する部品の装着スペースが必要となって、リール全体を小型化するには限界があった。
【０００８】
本発明は、上記した問題に基づいてなされたものであり、ノンデッド機構を省スペース化して、リール本体の小型化が図れる魚釣用スピニングリールを提供することを目的とする。
【課題を解決するための手段】
【０００９】
上記した目的を達成するために、本発明に係る魚釣用スピニングリールは、リール本体の前部に設けられ、釣糸が巻回されるスプールと、前記リール本体に回転自在に支持されたハンドルの巻取り操作で回転する駆動歯車と噛合するピニオンギヤを介して回転可能であり、釣糸案内部を介して前記スプールに釣糸を巻回案内するロータと、前記スプールの回転を規制する規制状態とスプールフリーにするフリー状態とに切換え操作可能な操作部材を備えた切換機構と、スプールフリー状態にある前記切換機構を、前記ハンドルの巻取り操作によって規制状態に復帰させる復帰機構と、を有しており、前記復帰機構は、前記ハンドルの回転操作に連動して回転する回転部材の中心を回転中心として所定角度回転可能に支持され、回転方向にバネ付勢されたキック部材を有することを特徴とする。
【００１０】
上記した構成における魚釣用スピニングリールでは、キック部材は、回転部材の支持部に対して固定されるのではなく、回転方向にバネ付勢された状態で、所定角度回転可能に支持されることから、キック部材によってキックされる係合部材は、デッドポイントが生じることなく、キック部材の回転軌跡内に入り込むことが可能となる。すなわち、ノンデッド機構を構成する部品を、ハンドルの回転操作に連動して回転する回転部材を支持する支持部上に集約して配置した構成となることから、ノンデッド機構の可及的な省スペース化が可能となり、リール本体を小型化することが可能となる。
【発明の効果】
【００１１】
本発明によれば、ノンデッド機構を省スペース化して、リール本体の小型化が図れる魚釣用スピニングリールが得られる。
【発明を実施するための最良の形態】
【００１２】
以下、本発明に係る魚釣用スピニングリールの実施形態について、添付図面を参照して具体的に説明する。
【００１３】
図１から図５は、本発明の第１の実施形態を示す図であり、図１は、魚釣用スピニングリールの内部構成を示す図（ドラグ作動状態；切換えレバーＯＮ）、図２は、図１の主要部を拡大した図（ドラグ非作動状態；切換えレバーＯＦＦ）、図３は、リール本体を上方から見た部分断面図、図４は、図２のＡ−Ａ方向に沿った部分断面図、そして、図５は、図１のＢ−Ｂ方向に沿った部分断面図である。
【００１４】
魚釣用スピニングリールのリール本体１には、釣竿に装着されるリール脚１Ａが一体形成されており、その前方には、釣糸案内部（図示せず）を備え、回転可能に支持されたロータ２と、ロータ２の回転運動と同期して前後動可能に支持され、釣り糸が巻回されるスプール３が配設されている。
【００１５】
リール本体１内には、ハンドル軸（駆動軸）４が回転可能に支持されており、その突出端部には、ハンドル５が取り付けられている。また、ハンドル軸４には、巻取り駆動機構が係合しており、この巻取り駆動機構は、ハンドル軸４に取り付けられ、内歯が形成された駆動歯車（フェースギヤ）７と、この駆動歯車７に噛合すると共にハンドル軸４と直交する方向に延出し、内部に軸方向に延出する空洞部が形成されたピニオン９とを備えている。
【００１６】
なお、本実施形態では、図４に示すように、ハンドル５は、左右両側に装着可能となっており、公知のように、その突設した外周非円形の軸５ａが、フェースギヤ７と一体化されて軸５ａと一体回転する内周非円形の空洞軸に回り止め嵌入された構成となっている。ここでは、そのようなフェースギヤ７が一体化された空洞軸をハンドル軸（駆動軸）４と称する。
【００１７】
前記ピニオン９は、軸受９ａを介してリール本体内に回転可能に支持されており、前記ロータ２を一体回転するように連結されている。そして、その空洞部には、ハンドル軸４と直交する方向に延出し、先端側に前記スプール３を装着したスプール軸３ａが軸方向に移動可能に挿通されている。また、前記ピニオン９には、スプール３（スプール軸３ａ）を前後往復動させるための公知の往復動装置１０が係合している。
【００１８】
前記往復動装置１０は、リール本体内に回転可能に支持され、スプール軸３ａと平行に延出する螺軸（ウォームシャフト）１２と、前記スプール軸３ａの後部に回転可能で軸方向移動不能に係合される摺動体１３とを備えている。前記螺軸１２の端部には、前記ピニオン９と噛合するオシレートギヤ１５が設けられており、前記ハンドル５を回転操作することで、螺軸１２は、前記駆動歯車７、ピニオン９及びオシレートギヤ１５を介して回転駆動される。そして、前記螺軸１２の周面には、軸方向に沿って螺旋状のカム溝１２ａが形成されており、このカム溝１２ａに、前記摺動体１３に収容保持された係合ピン（図示せず）が係合することで、スプール軸３ａ（スプール３）は、ハンドル５の巻取り操作により前後に往復動される。
【００１９】
上記した構成により、ハンドル５を巻取り操作すると、ロータ２は、駆動歯車７及びピニオン９を介して回転駆動され、かつ、スプール３は、駆動歯車７、ピニオン９及び往復動装置１０を介して前後方向に往復駆動され、スプール３には、回転するロータ２の釣糸案内部を介して均等に釣り糸が巻回される。
【００２０】
前記スプール３とスプール軸３ａとの間には、図示しないがスプールの回転に制動力を付与する公知のドラグ機構（フロントドラグ機構）１７が設置されている。また、スプール軸３ａの後端側には、サブドラグ機構２０が設置されており、後述する切換機構によって、スプール３がフリー状態（スプール軸３ａがフリーに回転する状態）になったとき、補助的にスプール軸３ａに対して制動力（ドラグ力）を付与できるようになっている。
【００２１】
具体的には、前記サブドラグ機構２０は、リール本体１の後端部に突出形成された円筒部１ａに対して回転操作される調節ネジ２１と、調節ネジ２１の回転操作に伴う軸方向の移動により、押圧バネ２２を介して所定の制動力を付与可能にする制動部材２３とを備えている。前記スプール軸３ａの後端側には、スプール軸３ａの後部の非円形部を軸方向移動可能に回り止め嵌合した状態で挿通させるカラー２４が配置されており、前記制動部材２３は、リール本体１及びカラー２４との間で制動力を作用させ、スプール軸３ａが切換機構によってフリー回転可能な状態になったときでも、調節ネジ２１を回転操作することで、スプール３の回転に補助的に制動力を作用させることが可能となっている。
【００２２】
前記リール本体１内には、スプール３の回転を規制する規制状態とスプールフリーにするフリー状態とに切換える切換機構３０、及びスプールフリー状態にある切換機構３０をハンドル５の巻取り操作によって規制状態に復帰させる復帰機構６０が設けられている。以下、これらの機構について説明する。なお、本実施形態における「スプールの規制状態」とは、スプール軸３ａの回転が阻止されて、スプール軸３ａとドラグ機構１７との間で所望のドラグ力が作用する状態やスプールロック状態を意味し、「スプールフリー状態」とは、スプール軸３ａが自由回転状態になったことを意味する。従って、スプールフリー状態には、サブドラグ機構２０によって、スプールに対して小さな回転抵抗が加わった状態を含む。
【００２３】
前記切換機構３０は、リール本体１から外部に突出し、回動操作可能な切換レバー（操作部材）３１と、リール本体１内に配設され、切換レバー３１によって回動駆動される作動体３２と、作動体３２の一端側に係合するストッパ部材３４と、他端側に係合し、後述する復帰機構のキック部材によってキックされる係合部材（キックプレートとも称する）３６とを備えている。
【００２４】
前記切換レバー３１は、図３に示すように、リール本体１の上方側を挟持するように配設され、基端部の両側から一対の固定ネジ３１ａによってリール本体１に回動可能に支持されている。前記一対の固定ネジ３１ａは、両サイドからリール本体内に向けて挿入されており、作動体３２に連結されている。この作動体３２は、固定ネジ３１ａを中心として両側が揺動する形状に構成されており、リール本体１との間に装着される振分けバネ３７によって、図１に示す切換えレバーＯＮ状態と、図２に示す切換えレバーＯＦＦ状態に振分け保持されるようになっている。
【００２５】
前記作動体３２の一端側３２ａには、ストッパ部材３４が係合可能に設置されている。このストッパ部材３４は、支軸３８を中心として回動可能に軸支されており、一端側に前記作動体３２が当接する当接部３４ａが形成され、他端側に、スプール軸３ａに対して回り止め固定されたラチェット３ｂに対して係脱される係脱部３４ｂが形成されている（図１、図２、図５参照）。
【００２６】
なお、ストッパ部材３４は、支軸３８に装着されるスプリング３８ａによって、係脱部３４ｂが常時、ラチェット３ｂと係合するように付勢されており、前記切換レバー３１をＯＦＦ状態に回動することで、前記作動体３２によって、スプリング３８ａの付勢力に抗して回動され、ラチェット３ｂから離脱する（図２参照）。
【００２７】
前記作動体３２の他端側３２ｂには、係合部材（キックプレート）３６が係合可能に設置されており、この係合部材３６は、支軸４０によって、リール本体１に回動可能に支持されている。そして、この係合部材３６は、後述するキック部材の回転軌跡内に入り込んで、ハンドル５の巻取り操作によって、前記切換えレバー３１（切換機構３０）を自動的にスプール３の回転を規制する規制状態に復帰させる復帰機構６０としての機能を備えている。
【００２８】
前記係合部材３６は、基本的には、支軸４０によって回動可能に支持され、前記作動体３２がＯＦＦ状態に回動された際、その一端側が作動体３２によって回動され、他端側が復帰機構６０を構成するキック部材６１の回転軌跡内に入り込む構成であれば良い。
【００２９】
ただし、本実施形態の構成では、係合部材３６は、ロータ２のフリー回転状態を考慮して、複数の部材によって構成されている。通常、ロータ２は、釣糸巻取り状態に回転可能となっているが、公知の逆転防止機構のレバーを操作することで、逆回転することも可能となっている。上記した切換機構３０が図２に示すスプールフリー状態に切換えられ、かつこの状態でロータ２が逆回転可能な状態になっていると、実釣時に魚が掛かった際に、不都合が生じる可能性がある。すなわち、魚が掛かって釣糸を引き出して行くと、ハンドル軸４は、図２において時計回り方向に回転し、キック部材６１も時計回り方向に回転して係合部材３６に当接して、その配置態様により回転できない状態になる可能性がある。このため、キック部材６１がハンドルの巻取り方向（反時計回り方向）ではない時計回り方向に回転した際、キック部材６１が係合部材３６に当接しても逃げることができるように、係合部材３６は複数の部材３６Ａ，３６Ｂによって構成されている。
【００３０】
以下、複数の部材３６Ａ，３６Ｂによって構成される係合部材３６、及び復帰機構６０の構成について説明する。
【００３１】
係合部材３６は、図１、図２及び図４に示すように、リール本体１に対して支軸４０（固定ネジ）によって固定されるカラー４１の外周に回転可能に支持される２枚のプレート（作動体側プレート３６Ａ，キック側プレート３６Ｂ）を備えている。
【００３２】
この内、作動体側プレート３６Ａは、支軸４０を基端として作動体３２側に延出する形状となっており、先端側が図４に示すように駆動歯車７側に向けて高くなるように形成されて、この部分の下縁部に前記作動体３２の他端側３２ｂが当接するようになっている。また、図１に示す状態において、作動体側プレート３６Ａの下縁部はリール本体１に設けられたボス１ｃに当て付いて時計回り方向の回転が規制されている。さらに、その上縁部には、キック側プレート３６Ｂに突設形成された突起３６ａが当接している。
【００３３】
一方、キック側プレート３６Ｂは、支軸４０を中心として、両端が揺動する形状となっており、一端側には、前記したように、作動体側プレート３６Ａの上縁部に当て付く突起３６ａが形成されている。また、他端側には、支軸４０を中心として回動された際、後述するキック部材６１の回転軌跡内に入り込む係合部３６ｂが形成されている。そして、このキック側プレート３６Ｂには、前記リール本体１のボス１ｃとの間で付勢バネ３６ｃが支軸４０に巻き付くように設置されており、キック側プレート３６Ｂを、常時、図１に示す状態において、時計回り方向に付勢しており、前記突起３６ａを作動体側プレート３６Ａの上縁部に当て付け付勢している。なお、このキック側プレート３６Ｂは、図１に示す切換機構がＯＮの状態では、係合部３６ｂは、キック部材６１の回転軌跡に入り込まない位置となっている。
【００３４】
そして、前記キック側プレート３６Ｂの係合部３６ｂをキックするキック部材６１は、本実施形態の構成では、ハンドル軸４の部分に設置されている。キック部材６１は、ハンドル軸４の中心を回転中心とし、かつハンドル軸４に対して所定角度回転可能に支持されており、実際に係合部３６ｂをキックすべく複数（１つでも良い）の突起６１ａを備えている。この場合、突起６１ａは、略１２０°間隔をおいて３箇所形成されており、各突起には、係合部３６ｂが回動した際、回転軌跡内に入り込みやすいように、傾斜面６１ｂが形成されている。
【００３５】
前記ハンドル軸４の外周には、キック部材６１を所定の角度回転可能にする規制部（度当て）４ａが２箇所突出形成されている。また、キック部材６１の内周には、円弧状の規制部６１ｃと、前記ハンドル軸に形成された２つの規制部４ａ間に突出する突部６１ｄが形成されており、規制部４ａ、及び規制部６１ｃ、突部６１ｄが互いに当接することで、キック部材６１は、ハンドル軸４に対して所定の角度回転可能に支持されている。
【００３６】
そして、ハンドル軸４の外周とキック部材６１の内周との間の隙間には、規制部４ａと突部６１ｄとの間で付勢バネ６３が介在されており、キック部材６１を回転方向（図１、図２において反時計回り方向）にバネ付勢している。
【００３７】
すなわち、本発明においては、キック部材６１は、ハンドル５の回転操作に連動して回転する回転部材（本実施形態では、ハンドル軸４とされる）の支持部の中心を回転中心として、所定角度回転可能に支持されており、かつ、回転方向にバネ付勢された状態となっている。
【００３８】
以上のように構成される魚釣用スピニングリールの作用について説明する。
【００３９】
最初、図１に示すように切換機構３０がＯＮの状態となっている。この状態では、ストッパ部材３４は、ラチェット３ｂに係合しているため、スプール軸３ａは固定状態となっており、スプール３には、フロントドラグ機構１７を介して所望のドラグ力が作用した状態となる。
【００４０】
図１に示す状態から切換えレバー３１を矢印方向に回動操作すると、作動体３２は、固定ネジ３１ａを中心として回動し、図２に示すように、その一端側３２ａはストッパ部材３４の当接部３４ａに当接し、ストッパ部材３４をスプリング３８ａの付勢力に抗して反時計回り方向に回動させる。これにより、他端に形成された係脱部３４ｂは、スプール軸３ａに対して回り止め固定されたラチェット３ｂから離脱し、スプール軸３ａは、フリー回転可能な状態になる。
【００４１】
この状態で、スプール３は完全なフリー状態となるため、魚が掛かった際、そのまま釣糸を引き出して行くことが可能となる。なお、この状態では、上記したサブドラグ機構２０の調節ネジ２１を回転操作することで、スプール３の回転に対して補助的にドラグ力を作用させることが可能となっている。
【００４２】
一方、切換えレバー３１の回動操作によって作動体３２の他端側３２ｂは、作動体側プレート３６Ａを、支軸４０を中心にして反時計回り方向に回動させる。そして、これに伴い突起３６ａを介して、キック側プレート３６Ｂを、支軸４０を中心として、付勢バネ３６ｃの付勢力に抗して反時計回り方向に回動させる。これにより、キック側プレート３６Ｂの係合部３６ｂは、図２に示すように、キック部材６１の回転軌跡内に入り込む。
【００４３】
このとき、前記したキック部材６１が、どの位置にあっても、係合部３６ｂは、デッドポイントを生じさせることなく、回転軌跡内に入り込むことが可能となっている。すなわち、仮に、切換えレバー３１の回動操作時に、係合部３６ｂがキック部材６１に干渉するような位置にあったとしても、係合部３６ｂが回動することでキック部材６１は、ハンドル軸４の周りを、付勢バネ６３の付勢力に抗して時計回り方向に回転させることが可能であるため、デッドポイントを生じさせることはない（従来のように、キック部材６１がハンドル軸４に固定されており、かつハンドル軸４が逆転防止状態にあると、係合部３６ｂが回動できない位置（デッドポイント）が生じる可能性がある）。
【００４４】
上記した切換えレバー３１が、図２に示すように、ＯＦＦにされた状態において、ロータ２が逆転可能状態に設定されていると、魚が掛かった場合など、ハンドル軸４は、図２において、時計回り方向に回転してしまう。このとき、キック部材６１の突起６１ａは、係合部３６ｂに当て付いてキック側プレート３６Ｂを、支軸４０を中心に反時計回り方向に回動させようとする。上記したように、キック側プレート３６Ｂは、突起３６ａの上方側に逃げのスペースＳがあるため、キック側プレート３６Ｂは、付勢バネ３６ｃの付勢力に抗して、キック部材６１の突起６１ａが当接する毎に回動／復帰動作を繰り返すこととなり、切換機構３０や復帰機構６０を損傷させるようなことがない。
【００４５】
そして、図２に示す状態において、ハンドル５を巻取り操作すると、ハンドル軸４は、反時計回り方向に回転駆動され、これに伴い、付勢バネ６３の付勢力に抗して図２で右側の規制部４ａが突部６１ｃの側壁に当て付き、キック部材６１を反時計回り方向に回転させる。これにより、キック部材６１の突起６１ａは、回転軌跡内に位置する係合部３６ｂをキックし、キック側プレート３６Ｂを、支軸４０を中心に時計回り方向に回動させる。
【００４６】
このキック側プレート３６Ｂの回動は、突起３６ａを介して作動体側プレート３６Ａに伝達され、作動体３２を、固定ネジ３１ａを介して反時計回り方向に回動させ、図１に示す状態に自動的に復帰させる。すなわち、作動体３２が図１に示す状態に復帰することで、ストッパ部材３４は、スプリング３８ａによって時計回り方向に回動され、係脱部３４ｂがラチェット３ｂと係合し、再び、スプール３の回転が規制される規制状態に切換えられる。
【００４７】
上記した構成における魚釣用スピニングリールでは、キック部材６１は、従来の特許文献２に開示されているように、ハンドル軸４に対して固定されるのではなく、内部に収容された付勢バネ６３によって回転方向に付勢された状態で、所定角度回転可能に支持されているため、キック部材６１によってキックされる係合部材（キック側プレート３６Ｂの係合部３６ｂ）は、デッドポイントが生じることなく、キック部材６１の回転軌跡内に入り込むことが可能となる。
【００４８】
すなわち、上記したようなキック部材の構成にすることで、ノンデッド機構を構成する部品を、ハンドル軸４の支持部上に集約して配置することができ、これにより、ノンデッド機構の可及的な省スペース化が可能となって、リール本体１を小型化することが可能となる。
【００４９】
なお、上記した構成では、キック部材６１は、ハンドル軸４に対して直接、所定角度回転可能で、周方向にバネ付勢するように支持したが、図６及び図７に示すように、リール本体１に対して、所定角度回転可能で、周方向にバネ付勢されるように支持する構成であっても良い。具体的には、リール本体１にスリーブ状の円筒部１ｄを形成しておき、この部分にハンドル軸４を挿通させると共に、この円筒部１ｄにキック部材６１を回転可能に支持する。一方、ハンドル軸４に径方向に突出するフランジ４ｃを形成すると共に、このフランジ４ａに、軸方向に沿うように付勢バネ保持部４ｄを形成しておき、前記円筒部１ｄに回転可能に支持されたキック部材６１との間で、キック部材を周方向に付勢する付勢バネ６３を介在させても良い。
【００５０】
このように、キック部材６１については、ハンドル軸４のような回転体（回転軸）に対して直接、支持するのではなく、そのような回転体を中心として、リール本体１に対して支持するように構成することが可能である。
【００５１】
図８から図１３は、本発明の第２の実施形態を示す図であり、図８は、魚釣用スピニングリールの内部構成を示す図（ドラグ作動状態；切換えレバーＯＮ）、図９は、図８の主要部を拡大した図（ドラグ非作動状態；切換えレバーＯＦＦ）、図１０は、リール本体を上方から見た部分断面図、図１１は、図９のＣ−Ｃ線に沿った拡大断面図、図１２は、図８のＤ−Ｄ方向に沿った部分断面図、そして、図１３（ａ），（ｂ）は、復帰機構の作用を説明する図である。
【００５２】
なお、この実施形態では、上記した第１実施形態と同一の部分については、同一の参照符号を付し、その詳細な説明については省略する。
【００５３】
上記した実施形態における復帰機構は、ハンドル軸４の中心を回転中心として、キック部材６１を所定角度回転可能に支持し、かつ回転方向にバネ付勢したが、本実施形態では、キック部材は、ハンドル軸ではなく、ハンドル軸４に対してオフセットした位置に設置している。
【００５４】
前記ハンドル軸４には、図１０、図１１に示すように、駆動歯車７の歯面と対向する位置に、ギヤ４Ａが一体回転可能に取り付けられている。そして、このギヤ４Ａには、復帰機構６０を構成するキック部材７１が装着された連結ギヤ６５が噛合している。この場合、連結ギヤ６５は、リール本体１に対して回転可能に支持されている。
【００５５】
前記連結ギヤ６５の駆動歯車側の表面には、駆動歯車７側に向けて突出する弧状の膨出壁６５ａが一体形成されている。また、この膨出壁６５ａの表面には、更に弧状になって部分的に駆動歯車側に膨出する突領域６５ｂが一体形成されている（突領域６５ｂは、膨出壁６５ａよりも高く形成されている）。
【００５６】
上記したように構成される連結ギヤ６５には、連結ギヤ６５の中心を回転中心として所定角度回転可能となるようにキック部材７１が配設される。このキック部材７１は、連結ギヤ６５の回転中心に、固定ネジ７３を介してリール本体１に圧入固定されるカラー部材７４上に回転可能に設置されており、固定ネジ７３を中心として直径方向に延出した形状になっている。この場合、キック部材７１の一端側には、駆動歯車７側に向けて突出する突部７１ａが形成されており、この突部７１ａの下縁部７１ａ´が後述する作動部材を構成するキック側プレート３２Ｂの係合部３２ｄと係合可能になっている。
【００５７】
また、キック部材７１の他端側７１ｂは、そのまま直径方向に延出しており、その上縁部７１ｂ´が、上記した連結ギヤ６５に形成されている突領域６５ｂの端縁６５ｃに当接している。なお、前記カラー部材７４には、付勢スプリング７７が巻回されており、その一端は上記した突領域６５ｂの端縁６５ｄの下方側に当て付けられ、かつ他端は、前記突部７１ａの基部に係止されて、キック部材７１を、図９で示す時計回り方向（回転方向）に常時付勢している。これにより、キック部材７１は、カラー部材７４の周りを、所定の角度で回転可能であると共に、付勢スプリング７７によって回転方向に付勢された状態で支持されている。
【００５８】
上記したように構成されるキック部材７１は、前記ギヤ４Ａがハンドルの巻取り操作によって回転駆動された際（図９において、反時計回り方向に回転する）、連結ギヤ６５と共に時計回り方向に回転駆動される。
【００５９】
このようなキック部材７１の回転により、前記突部７１ａも所定の回転軌跡をもって回転するが、その回転軌跡内に、突部７１ａによってキックされるキック側プレート３２Ｂの係合部３２ｄが入り込むようになっている。以下、このキック側プレート３２Ｂについて説明する。
【００６０】
上記した実施形態と同様、本実施形態では、切換えレバー３１によって回動駆動される作動体３２が、上述した実施形態における係合部材３６と同様な機能（ロータが逆回転した際に逃げることができる機能）を備えている。すなわち、作動体３２は、支軸となる固定ネジ３１ａを中心に揺動可能に配置される作動プレート３２Ａと、この作動プレート３２Ａと同軸上に重なるように回動可能に設置され、前記キック部材７１の回転軌跡内に入り込むことが可能なキック側プレート３２Ｂを備えている。
【００６１】
両プレート３２Ａ，３２Ｂの中心支持領域には、フリクションバネ３２Ｃが巻き付くように設置されており、切換えレバー３１が図８に示す位置から矢印方向に回動された際、作動プレート３２Ａの時計回り方向の回動に伴って、キック側プレート３２Ｂも一体的に時計回り方向に回動させるようになっている。すなわち、切換えレバー３１を、図８に示す位置から矢印方向に回動操作することで、図９で示すように、キック側プレート３２Ｂの当接部３２ｅの側部は、作動プレート３２Ａの壁部３２Ａ´に当接されて一体的に回動され、先端の係合部３２ｄは、図９に示すように、突部７１ａの回転軌跡内に入り込むようになっている。なお、フリクションバネ３２Ｃは、当接部３２ｅの側部が壁部３２Ａ´に常時当接する方向に付勢している。
【００６２】
また、キック側プレート３２Ｂの固定ネジ３１ａを中心として、係合部３２ｄと反対側には、当接部３２ｅが形成されており、第１実施形態と同様、切換えレバー３１が回動操作されることで、支軸３８によって回動可能に支持されたストッパ部材３４の当接部３４ａに当接するようになっている。なお、作動体３２の回動動作は、作動プレート３２Ａとリール本体１との間に設置される振り分けバネ３７によって、図８に示す切換えレバーＯＮ状態と、図９に示す切換えレバーＯＦＦ状態に振り分け保持される。
【００６３】
以上のように構成される魚釣用スピニングリールの作用について説明する。
【００６４】
最初、図８に示すように切換機構３０がＯＮの状態となっている。この状態では、ストッパ部材３４は、ラチェット３ｂに係合しているため、スプール軸３ａは固定状態となっており、スプール３には、フロントドラグ機構１７を介して所望のドラグ力が作用した状態となる。
【００６５】
図８に示す状態から切換えレバー３１を矢印方向に回動操作すると、作動体３２を構成する作動プレート３２Ａは、固定ネジ３１ａを中心として時計回り方向に回動し、これに伴い、キック側プレート３２Ｂも時計回り方向に回動され、先端の係合部３２ｄは、図９に示すように、突部７１ａの回転軌跡内に入り込む。
【００６６】
このとき、前記したキック部材７１が、どの位置にあっても、係合部３２ｄは、デッドポイントを生じさせることなく、回転軌跡内に入り込むことが可能となっている。すなわち、仮に、切換えレバー３１の回動操作時に、係合部３２ｄがキック部材７１（突部７１ａ）に干渉するような位置にあったとしても、係合部３２ｄが回動することでキック部材７１は、カラー部材７４の周りを、付勢スプリング７７の付勢力に抗して反時計回り方向に回転させることが可能であるため、デッドポイントを生じさせることはない。
【００６７】
また、キック側プレート３２Ｂの時計回り方向への回動により、当接部３２ｅは、ストッパ部材３４の当接部３４ａに当接し、ストッパ部材３４をスプリング３８ａの付勢力に抗して反時計回り方向に回動させる。これにより、他端に形成された係脱部３４ｂは、スプール軸３ａに対して回り止め固定されたラチェット３ｂから離脱し、スプール軸３ａは、フリー回転可能な状態になる。
【００６８】
この状態で、スプール３は完全なフリー状態となるため、魚が掛かった際、そのまま釣糸を引き出して行くことが可能となる。なお、この状態では、上記したサブドラグ機構２０の調節ネジ２１を回転操作することで、スプール３の回転に対して補助的にドラグ力を作用させることが可能となっている。
【００６９】
ここで、上記した切換えレバー３１が、図９に示すように、ＯＦＦにされた状態において、ロータ２が逆転可能状態に設定されていると、魚が掛かった場合など、ハンドル軸４は、図９において、時計回り方向に回転してしまう。このとき、キック部材７１の突部７１ａは、ギヤ４Ａ及び連結ギヤ６５の噛合関係により反時計回り方向に回転して、キック側プレート３２Ｂに当て付き、キック側プレート３２Ｂを、固定ネジ３１ａを中心として時計回り方向に回動させようとする。上記したように、キック側プレート３２Ｂは、フリクションバネ３２Ｃの摩擦力によって、作動プレート３２Ａに対して逃げることが可能となっているため、切換機構３０や復帰機構６０を損傷させるようなことがない。
【００７０】
そして、図９に示す状態において、ハンドル５を巻取り操作すると、ギヤ４Ａは反時計回り方向に回転し、連結ギヤ６５は、時計回り方向に回転する。これに伴い、図１３（ａ）に示すように、キック部材７１の突部７１ａは、キック側プレート３２Ｂの係合部３２ｄに当て付き、さらに、連結ギヤ６５の時計回り方向の回転により、前記連結ギヤ６５に形成された突領域６５ｂの端縁６５ｄが、図１３（ｂ）に示すように、付勢スプリング７７の付勢力に抗してキック部材７１の突部７１ａの上縁部７１ａ´´に当接し、これにより、キック側プレート３２Ｂを反時計回り方向に回転させる。
【００７１】
このキック側プレート３２Ｂの回動は、フリクションバネ３２Ｃを介して作動プレート３２Ａに伝達され、切換えレバー３１を、固定ネジ３１ａを介して反時計回り方向に回動させ、図８に示す状態に自動的に復帰させる。これにより、ストッパ部材３４は、スプリング３８ａによって時計回り方向に回動され、係脱部３４ｂがラチェット３ｂと係合し、再び、スプール３の回転が規制される規制状態に切換えられる。
【００７２】
上記した構成における魚釣用スピニングリールでは、上述した第１の実施形態で得られる作用効果に加え、復帰機構６０を構成する復帰用のキック部材７１を、駆動歯車７を有するハンドル軸４に対してオフセットする位置に支持したことで、ドラグ機構を切換操作する切換えレバー３１の作動部３２に対する配置を近接化することができ（作動部３２に直接係合可能な配置態様）、伝達機構の簡略化が図れると共に、ハンドル回転による復帰力の効率的な動力伝達が可能となり、切換え／復帰の作動が安定する。
【００７３】
なお、上記した構成では、キック部材７１は、連結ギヤ６５の中心部分において、リール本体１に対して固定ネジ７３を介して圧入固定されるカラー部材７４上に、所定角度回転可能で、かつ付勢スプリング７７によって、回転方向にバネ付勢されるように支持したが、図１４及び図１５に示すように、キック部材７１は、連結ギヤ６５に対して所定角度回転可能で、両者の間に設置される付勢スプリング７７によって、回転方向にバネ付勢される構成であっても良い。具体的には、リール本体１にカラー部材７４Ａを、固定ネジ７３を介して圧入固定しておき、この外周部分に連結ギヤ６５、及びキック部材７１を配置する。そして、連結ギヤに形成される突起６５Ａと、キック部材７１に形成される突起との間に付勢スプリング７７を介在し、キック部材７１を回転方向に付勢するようにしても良い。
【００７４】
このように、キック部材７１については、回転体となる連結ギヤ６５に対して直接、支持するように構成することが可能である。
【００７５】
以上、本発明の実施形態について説明したが、本発明は、上記した実施形態に限定されることはなく、種々変形することが可能である。例えば、キック部材６１，７１については、駆動軸の外周、駆動軸を支持するリール本体の支持部外周、駆動軸に連動回転するアイドルギヤを支持するオフセットされたリール本体の支持部外周、アイドルギヤの中心部分に形成される筒部の外周等に、所定角度回転可能で、かつ回転方向にバネ付勢しておけば良い。
【００７６】
また、本発明は、魚釣用スピニングリールにおいて、ドラグ作動状態と非作動状態を切換える切換機構の内、ハンドルの巻取り操作によって、初期位置に自動復帰させる復帰機構の部分（ノンデッド機構）に特徴があり、それ以外の構成については、適宜変形することが可能である。このため、例えば、リヤドラグ方式の魚釣用スピニングリールについても適用することが可能である。
【図面の簡単な説明】
【００７７】
【図１】本発明の第１の実施形態を示す図であり、魚釣用スピニングリールの内部構成を示す図（ドラグ作動状態；切換えレバーＯＮ）。
【図２】図１の主要部を拡大した図（ドラグ非作動状態；切換えレバーＯＦＦ）。
【図３】リール本体を上方から見た部分断面図。
【図４】図２のＡ−Ａ方向に沿った部分断面図。
【図５】図１のＢ−Ｂ方向に沿った部分断面図。
【図６】第１の実施形態の変形例を示す図であり、リール本体を上方から見た部分断面図。
【図７】図６の主要部の拡大図。
【図８】本発明の第２の実施形態を示す図であり、魚釣用スピニングリールの内部構成を示す図（ドラグ作動状態；切換えレバーＯＮ）。
【図９】図８の主要部を拡大した図（ドラグ非作動状態；切換えレバーＯＦＦ）。
【図１０】リール本体を上方から見た部分断面図。
【図１１】図９のＣ−Ｃ線に沿った断面図。
【図１２】図８のＤ−Ｄ方向に沿った部分断面図。
【図１３】（ａ），（ｂ）は、復帰機構の作用を説明する図。
【図１４】第２の実施形態の変形例を示す図であり、リール本体を上方から見た部分断面図。
【図１５】図１４の主要部の拡大図。
【符号の説明】
【００７８】
１  リール本体
２  ロータ
３  スプール
４  ハンドル軸（駆動軸）
５  ハンドル
７  駆動歯車
１７  ドラグ機構
２０  サブドラグ機構
３０  切換機構
３１  切換えレバー
６０  復帰機構
６１，７１  キック部材
【図１】
2008199978.tif 000003
【図２】
2008199978.tif 000004
【図３】
2008199978.tif 000005
【図４】
2008199978.tif 000006
【図５】
2008199978.tif 000007
【図６】
2008199978.tif 000008
【図７】
2008199978.tif 000009
【図８】
2008199978.tif 000010
【図９】
2008199978.tif 000011
【図１０】
2008199978.tif 000012
【図１１】
2008199978.tif 000013
【図１２】
2008199978.tif 000014
【図１３】
2008199978.tif 000015
【図１４】
2008199978.tif 000016
【図１５】
2008199978.tif 000017